(57)【要約】【課題】所定物に取り付けられた非接触識別タグが不正に取り外されたことを検出することが可能な非接触データ通信システム、非接触識別タグ及び非接触識別タグ制御プログラムを提供する。【解決手段】非接触データ通信システム１は、リーダ・ライタ装置２と、複数の非接触識別タグ３と、複数の荷物４と、を含んだ構成となっており、リーダ・ライタ装置２は、データ受信部２ａと、データ送信部２ｂと、制御部２ｃと、操作部２ｄと、表示部２ｇと、を含んだ構成となっており、非接触識別タグ３は、データ通信部３ａと、データ制御部３２と、電圧監視部３４と、取り外し検出部３５と、表示処理部３６と、電気泳動表示装置３７と、を含んだ構成となっており、電圧監視部３４及び取り外し検出部３５により非接触識別タグ３が荷物４から取り外されることで変化する回路電圧の変化を検出することで非接触識別タグ３が取り外されたことを検出する。【選択図】      図１
2004280434.tif 000002
【特許請求の範囲】
【請求項１】
リーダ・ライタ装置と、非接触識別タグと、を含む非接触データ通信システムであって、
前記リーダ・ライタ装置は、前記非接触識別タグとデータ通信可能なデータ通信手段と、当該データ通信手段によるデータ通信時に前記非接触識別タグに電力供給用の電磁波を送信する電力供給用電磁波送信手段と、を備え、
前記非接触識別タグは、前記リーダ・ライタ装置から送信された電力供給用の電磁波から駆動用電力を生成する駆動用電力生成手段と、所定物に前記非接触識別タグを取り付け可能な取り付け手段と、当該取り付け手段によって前記所定物に取り付けられた前記非接触識別タグが、当該所定物から取り外されたか否かを検出する取り外し検出手段と、当該取り外し検出手段の検出結果に基づき所定の情報を表示する所定情報表示手段と、を備えることを特徴とする非接触データ通信システム。
【請求項２】
前記非接触識別タグは、前記取り外し検出手段によって、前記非接触識別タグが前記所定物から取り外されたことが検出されたときに、当該取り外されたことを示す情報を前記リーダ・ライタ装置に送信する検出結果送信手段を備えることを特徴とする請求項１記載の非接触データ通信システム。
【請求項３】
前記所定情報表示手段は、前記取り外し検出手段によって、前記非接触識別タグが前記所定物から取り外されたことが検出されたときに、前記所定の情報として、取り外されたことを示す情報を表示するようになっていることを特徴とする請求項１又は請求項２記載の非接触データ通信システム。
【請求項４】
前記取り外し検出手段は、電圧を監視可能な電圧監視回路を備えており、前記非接触識別タグを構成する回路の配線の一部が前記電圧監視回路に接続されており、前記非接触識別タグが前記所定物から取り外されたときに前記配線が断線するようになっており、当該断線によって変化する電圧値を検出することで、前記非接触識別タグが、前記所定物から取り外されたことを検出するようになっていることを特徴とする請求項１乃至請求項３のいずれか１項に記載の非接触データ通信システム。
【請求項５】
前記所定情報表示手段は、メモリ性を有した表示装置を備えることを特徴とする請求項１乃至請求項４のいずれか１項に記載の非接触データ通信システム。
【請求項６】
請求項１記載の非接触データ通信システムに適用される前記非接触識別タグであって、
前記リーダ・ライタ装置から送信された電力供給用の電磁波から駆動用電力を生成する駆動用電力生成手段と、所定物に前記非接触識別タグを取り付け可能な取り付け手段と、当該取り付け手段によって前記所定物に取り付けられた前記非接触識別タグが、当該所定物から取り外されたか否かを検出する取り外し検出手段と、当該取り外し検出手段の検出結果に基づき所定の情報を表示する所定情報表示手段と、を備えることを特徴とする非接触識別タグ。
【請求項７】
前記取り外し検出手段によって、前記非接触識別タグが前記所定物から取り外されたことが検出されたときに、当該取り外されたことを示す情報を前記リーダ・ライタ装置に送信する検出結果送信手段を備えることを特徴とする請求項６記載の非接触識別タグ。
【請求項８】
前記所定情報表示手段は、前記取り外し検出手段によって、前記非接触識別タグが前記所定物から取り外されたことが検出されたときに、前記所定の情報として、取り外されたことを示す情報を表示するようになっていることを特徴とする請求項６又は請求項７記載の非接触識別タグ。
【請求項９】
前記取り外し検出手段は、電圧を監視可能な電圧監視回路を備えており、前記非接触識別タグを構成する回路の配線の一部が前記電圧監視回路に接続されており、前記非接触識別タグが前記所定物から取り外されたときに前記配線が断線するようになっており、当該断線によって変化した電圧値を検出することで、前記非接触識別タグが、前記所定物から取り外されたことを検出するようになっていることを特徴とする請求項６乃至請求項８のいずれか１項に記載の非接触識別タグ。
【請求項１０】
前記所定情報表示手段は、メモリ性を有した表示装置を備えることを特徴とする請求項６乃至請求項９のいずれか１項に記載の非接触識別タグ。
【請求項１１】
請求項６記載の非接触識別タグを制御するためのプログラムであって、
前記取り付け手段によって前記所定物に取り付けられた前記非接触識別タグが、当該所定物から取り外されたか否かを検出する取り外し検出ステップと、当該取り外し検出ステップの検出結果に基づき所定の情報を表示する所定情報表示ステップと、を備えることを特徴とする非接触識別タグ制御プログラム。
【請求項１２】
前記取り外し検出ステップにおいて、前記非接触識別タグが前記所定物から取り外されたことが検出されたときに、当該取り外されたことを示す情報を前記リーダ・ライタ装置に送信する検出結果送信ステップを備えることを特徴とする請求項１１記載の非接触識別タグ制御プログラム。
【請求項１３】
前記所定情報表示ステップにおいては、前記取り外し検出ステップにおいて、前記非接触識別タグが前記所定物から取り外されたことが検出されたときに、前記所定の情報として、取り外されたことを示す情報を表示するようになっていることを特徴とする請求項１１又は請求項１２記載の非接触識別タグ制御プログラム。
【発明の詳細な説明】
【０００１】
【発明の属する技術分野】
本発明は、非接触識別タグを利用したデータ通信に係り、特に、荷物等に取り付けられた非接触識別タグが不正に取り外されたことを検出するのに好適な非接触通信システムに関する。
【０００２】
【従来の技術】
従来、衝撃センサを実装したタグ（特許文献１参照）を荷物に貼り付け、このタグに対して一定以上の衝撃が加わると、衝撃センサが断線して電圧が変化し、この電圧の変化を検出することで、荷物に衝撃が加わったことを検出するシステムがある（特許文献２参照）。
【０００３】
【特許文献１】
特開２００２−１５０２４８
【特許文献２】
特開２００２−１５０２４９
【０００４】
【発明が解決しようとする課題】
しかしながら、上記特許文献２の発明においては、衝撃に対してはこれを検出することができるが、不正にタグを剥がされてしまったような場合には、衝撃センサが断線せずに衝撃を検出できない。また、衝撃が加わったタグを検出した後で、目視によってそのタグを分類することができないため、衝撃の加わった荷物と衝撃の加わっていない荷物を区別するために、再度システムで検出し直すなどの煩わしい作業が必要となる恐れがある。
【０００５】
また、上記特許文献１の発明においては、アンテナの一部に衝撃センサを使用して断線を検出しているが、この場合はアンテナの共振周波数がずれ通信できなくなるため、故障によるものか衝撃によるものかを区別することができない。
そこで、本発明は、このような従来の技術の有する未解決の課題に着目してなされたものであって、所定物に取り付けられた非接触識別タグが不正に取り外されたことを検出することが可能な非接触データ通信システム、非接触識別タグ及び非接触識別タグ制御プログラムを提供することを目的としている。
【０００６】
【課題を解決するための手段】
上記目的を達成するために、本発明に係る非接触通信システムは、リーダ・ライタ装置と、非接触識別タグと、を含む非接触データ通信システムであって、
前記リーダ・ライタ装置は、前記非接触識別タグとデータ通信可能なデータ通信手段と、当該データ通信手段によるデータ通信時に前記非接触識別タグに電力供給用の電磁波を送信する電力供給用電磁波送信手段と、を備え、
前記非接触識別タグは、前記リーダ・ライタ装置から送信された電力供給用の電磁波から駆動用電力を生成する駆動用電力生成手段と、所定物に前記非接触識別タグを取り付け可能な取り付け手段と、当該取り付け手段によって前記所定物に取り付けられた前記非接触識別タグが、当該所定物から取り外されたか否かを検出する取り外し検出手段と、当該取り外し検出手段の検出結果に基づき所定の情報を表示する所定情報表示手段と、を備えることを特徴としている。
【０００７】
このような構成であれば、第１の発明において、前記リーダ・ライタ装置は、データ通信手段によって、非接触識別タグとデータ通信可能であり、電力供給用電磁波送信手段によって、前記データ通信手段によるデータ通信時に前記非接触識別タグに電力供給用の電磁波を送信することが可能であり、前記非接触識別タグは、駆動用電力生成手段によって、前記リーダ・ライタ装置から送信された電力供給用の電磁波から駆動用電力を生成することが可能であり、取り付け手段によって、所定物に前記非接触識別タグを取り付けることが可能であり、取り外し検出手段によって、前記取り付け手段によって前記所定物に取り付けられた前記非接触識別タグが、当該所定物から取り外されたか否かを検出することが可能であり、所定情報表示手段によって、前記取り外し検出手段の検出結果に基づき所定の情報を表示することが可能である。
【０００８】
従って、荷物等の所定物に取り付けられた非接触識別タグが取り外されたことを検出して、そのことを表示するようにすることで、一度取り外された非接触識別タグを目視によって容易に発見する（あるいは見分ける）ことが可能となる。
ここで、非接触識別タグとは、ＲＦＩＤ（Ｒａｄｉｏ  Ｆｒｅｑｕｅｎｃｙ  ＩＤｅｎｔｉｆｉｃａｔｉｏｎ）システムにおいて用いられるもので、一般にデータキャリアなどとも呼ばれている。その形状には、ラベル型、カード型、コイン型、スティック型等の様々なものがある。これらの形状はアプリケーションと密接な関係があり、例えば、人が持つものは、カード形あるいはラベル形をキーホルダ形状に加工したものがある。また、半導体のキャリアＩＤとしてはスティック形が主流となっている。なお、リネン関連の服に縫い込まれるものはコイン形が主流となっている。
【０００９】
また、非接触識別タグは、データ読取専用、あるいは、データの読み書きが自由に行える記憶領域を備えており、更に、アンテナ側からの非接触電力伝送により電池が無くても動作可能なものがある。
また、ＲＦＩＤシステムとは、媒体に電波・電磁波を用いたＩＤシステムであり、非接触識別タグが、（１）  携帯容易な大きさであること、（２）  情報を電子回路に記憶すること、（３）  非接触通信により交信することの３つの特徴を備えている。
【００１０】
従って、ＲＦＩＤシステムは、非接触識別タグを持つ人・物・車などと、その情報とを一元化させる目的で使用される。つまり、人・物・車がある場所で随時、必要な情報を取り出すことができ、かつ必要に応じて新たな情報を書き込むことができる。
また、ＲＦＩＤシステムの代表的な種類としては、主に、交流磁界によるコイルの相互誘導を利用して非接触識別タグとの交信を行なう電磁結合方式、  主に、２５０ｋＨｚ以下、あるいは、１３．５６ＭＨｚ帯の長・中波帯の電磁波を利用して非接触識別タグとの交信を行なう電磁誘導方式、リーダ／ライタ側のアンテナと非接触識別タグ間で、２．４５ＧＨｚ帯のマイクロ波によりデータ交信を行なうマイクロ波方式、光の発生源としてＬＥＤを、受光器としてはフォトトランジスタ等を配置し、光の空間伝送を利用して非接触識別タグとの交信を行なう光方式の４つがある。
【００１１】
また、アクセス方式は、主に、シングルアクセスモード、ＦＩＦＯ（Ｆｉｒｓｔ  Ｉｎ  Ｆｉｒｓｔ  Ｏｕｔ）アクセスモード、マルチアクセスモード、セレクティブアクセスモードの４つがある。
シングルアクセスモードは、アンテナ交信領域内に存在する非接触識別タグは１個であり、複数の非接触識別タグがアンテナの交信領域内にあると交信エラーとなり、交信できなくなる。
【００１２】
ＦＩＦＯアクセスモードは、アンテナの交信領域内に順番に入ってくる非接触識別タグと順番に交信することができる。交信を終了した非接触識別タグにはアクセス禁止処理を行なうので、交信終了したタグがアンテナの交信領域内に複数存在しても、新たなタグが１個だけアンテナの交信領域内に入ってくれば交信ができる。同時に非接触識別タグが交信領域内にはいると、交信エラーとなり交信できなくなる。アクセス禁止された非接触識別タグは、交信領域外にでると再び交信が可能となる。
【００１３】
マルチアクセスモードは、アンテナの交信領域内に複数の非接触識別タグが存在しても、全ての非接触識別タグと交信ができる。
セレクティブアクセスモードは、交信領域内にある複数の非接触識別タグのうち、特定の非接触識別タグと交信ができるもので、交信領域内の非接触識別タグに番号を割り当てるコマンドと、割り当てた番号をもとに、特定の非接触識別タグとの交信を行なうコマンドで実現される。
【００１４】
また、第２の発明は、第１の発明において、前記非接触識別タグは、前記取り外し検出手段によって、前記非接触識別タグが前記所定物から取り外されたことが検出されたときに、当該取り外されたことを示す情報を前記リーダ・ライタ装置に送信する検出結果送信手段を備えることを特徴としている。
つまり、前記非接触識別タグは、検出結果送信手段によって、前記非接触識別タグが前記所定物から取り外されたことが検出されたときに、当該取り外されたことを示す情報を前記リーダ・ライタ装置に送信することが可能である。
【００１５】
従って、リーダ・ライタ装置は、荷物等の所定物から非接触識別タグが取り外されたことを検出することが可能となり、迅速な対応が可能となる。
また、第３の発明は、第１又は第２の発明において、前記所定情報表示手段は、前記取り外し検出手段によって、前記非接触識別タグが前記所定物から取り外されたことが検出されたときに、前記所定の情報として、取り外されたことを示す情報を表示するようになっていることを特徴としている。
【００１６】
つまり、前記所定情報表示手段は、前記取り外し検出手段によって、前記非接触識別タグが前記所定物から取り外されたことが検出されたときに、前記所定の情報として、取り外されたことを示す情報（×印や赤色の画面等）を表示することが可能である。
従って、荷物等の所定物に取り付けられた非接触識別タグが不当に取り外されて、他の荷物等に不正使用されたときに、表示された情報によって、それが一度取り外された非接触識別タグであることを目視で簡易に判別することが可能である。
【００１７】
また、第４の発明は、第１乃至第３のいずれか１の発明において、前記取り外し検出手段は、電圧を監視可能な電圧監視回路を備えており、前記非接触識別タグを構成する回路の配線の一部が前記電圧監視回路に接続されており、前記非接触識別タグが前記所定物から取り外されたときに前記配線が断線するようになっており、当該断線によって変化する電圧値を検出することで、前記非接触識別タグが、前記所定物から取り外されたことを検出するようになっていることを特徴としている。
【００１８】
つまり、前記取り外し検出手段は、電圧を監視可能な電圧監視回路を備えており、前記非接触識別タグを構成する回路の配線の一部が前記電圧監視回路に接続されており、前記非接触識別タグが前記所定物から取り外されたときに前記配線が断線するようになっており、当該断線によって変化する電圧値を検出することで、前記非接触識別タグが、前記所定物から取り外されたことを検出することが可能である。
【００１９】
従って、電圧値の変化によって、簡易に非接触識別タグが取り外されたことを検出することが可能である。
また、第５の発明は、第１乃至第４のいずれか１の発明において、前記所定情報表示手段は、メモリ性を有した表示装置を備えることを特徴としている。
つまり、前記所定情報表示手段は、メモリ性を有した表示装置を備えている。従って、表示装置がメモリ性を有した電気泳動式の表示装置であれば、一度表示した情報を電力消費無しで保持することができるので、取り外されたことを示す情報を表示し続けることが可能である。ここで、電気泳動式の表示装置の動作原理である電気泳動現象とは、液相分散媒中に微粒子を分散させた分散液に電界を印加したときに、分散によって自然に帯電した粒子（電気泳動粒子）がクーロン力により泳動する現象である。この電気泳動式表示装置は、表示画像保持性能（以下、「メモリ性」と称する。）を有しており、電解の印加により一度表示された画像を保持することが可能である。
【００２０】
また、第６の発明は、第１の発明である非接触通信システムにおける前記非接触識別タグであって、
前記リーダ・ライタ装置から送信された電力供給用の電磁波から駆動用電力を生成する駆動用電力生成手段と、所定物に前記非接触識別タグを取り付け可能な取り付け手段と、当該取り付け手段によって前記所定物に取り付けられた前記非接触識別タグが、当該所定物から取り外されたか否かを検出する取り外し検出手段と、当該取り外し検出手段の検出結果に基づき所定の情報を表示する所定情報表示手段と、を備えることを特徴としている。
【００２１】
ここで、本発明は、第１の発明である非接触通信システムにおける非接触識別タグであり、その作用効果は重複するので記載を省略する。
また、第７の発明は、第６の発明において、前記取り外し検出手段によって、前記非接触識別タグが前記所定物から取り外されたことが検出されたときに、当該取り外されたことを示す情報を前記リーダ・ライタ装置に送信する検出結果送信手段を備えることを特徴としている。
【００２２】
ここで、本発明は、第２の発明である非接触通信システムにおける非接触識別タグであり、その作用効果は重複するので記載を省略する。
また、第８の発明は、第６又は第７の発明において、前記所定情報表示手段は、前記取り外し検出手段によって、前記非接触識別タグが前記所定物から取り外されたことが検出されたときに、前記所定の情報として、不正行為のあったことを示す情報を表示するようになっていることを特徴としている。
【００２３】
ここで、本発明は、第３の発明である非接触通信システムにおける非接触識別タグであり、その作用効果は重複するので記載を省略する。
また、第９の発明は、第６乃至第８のいずれか１の発明において、前記取り外し検出手段は、電圧を監視可能な電圧監視回路を備えており、前記非接触識別タグを構成する回路の配線の一部が前記電圧監視回路に接続されており、前記非接触識別タグが前記所定物から取り外されたときに前記配線が断線するようになっており、当該断線によって変化した電圧値を検出することで、前記非接触識別タグが、前記所定物から取り外されたことを検出するようになっていることを特徴としている。
【００２４】
ここで、本発明は、第４の発明である非接触通信システムにおける非接触識別タグであり、その作用効果は重複するので記載を省略する。
また、第１０の発明は、第６乃至第９のいずれか１の発明において、前記所定情報表示手段は、メモリ性を有した表示装置を備えることを特徴としている。
ここで、本発明は、第５の発明である非接触通信システムにおける非接触識別タグであり、その作用効果は重複するので記載を省略する。
【００２５】
また、第１１の発明は、第６の発明である非接触識別タグを制御するためのプログラムであって、
前記取り付け手段によって前記所定物に取り付けられた前記非接触識別タグが、当該所定物から取り外されたか否かを検出する取り外し検出ステップと、当該取り外し検出ステップの検出結果に基づき所定の情報を表示する所定情報表示ステップと、を備えることを特徴としている。
【００２６】
ここで、本発明は、第６の発明である非接触識別タグを制御するためのプログラムであり、その効果は重複するので記載を省略する。
また、第１２の発明は、第１１の発明である非接触識別タグ制御プログラムにおいて、前記取り外し検出ステップにおいて、前記非接触識別タグが前記所定物から取り外されたことが検出されたときに、当該取り外されたことを示す情報を前記リーダ・ライタ装置に送信する検出結果送信ステップを備えることを特徴としている。
【００２７】
ここで、本発明は、第７の発明である非接触識別タグを制御するためのプログラムであり、その効果は重複するので記載を省略する。
また、第１３の発明は、第１１又は第１２の発明である非接触識別タグ制御プログラムにおいて、前記所定情報表示ステップにおいては、前記取り外し検出ステップにおいて、前記非接触識別タグが前記所定物から取り外されたことが検出されたときに、前記所定の情報として、不正行為のあったことを示す情報を表示するようになっていることを特徴としている。
【００２８】
ここで、本発明は、第８の発明である非接触識別タグを制御するためのプログラムであり、その効果は重複するので記載を省略する。
【００２９】
【発明の実施の形態】
以下、本発明の実施の形態を図面に基づいて説明する。図１乃至図８は、本発明に係る非接触データ通信システムを運送会社の荷物の管理に適用した実施の形態を示す図である。
まず、本発明に係る非接触データ通信システムの構成を図１に基づいて説明する。図１は、本発明に係る非接触データ通信システムの構成を示すブロック図である。
【００３０】
図１に示すように、非接触データ通信システム１は、リーダ・ライタ装置２と、複数の非接触識別タグ３と、複数の荷物４と、を含んだ構成となっている。
リーダ・ライタ装置２は、荷物４に取り付けられた非接触識別タグ３に荷物の送り先情報や持ち主の情報等の管理情報を書き込んだり、非接触識別タグ３に書き込まれた管理情報を読み出して表示部に表示したり、非接触識別タグ３から送信される不正使用情報などを表示部に表示したりする。
【００３１】
非接触識別タグ３は、自己を荷物４に取り付けるための取り付け部を備えており、荷物４と一対一に対応付けされ、リーダ・ライタ装置２との間で識別ＩＤ番号を用いた非接触のデータ通信を行い、当該荷物４を管理するものである。更に、非接触識別タグ３は、自己が荷物４から取り外されたことを検出する検出部を備えており、自己が荷物から不当に取り外されたようなときに、それを検出してリーダ・ライタ装置２に通知するようになっている。なお、識別ＩＤ番号は、非接触識別タグ３毎にそれぞれ固有のものであり、当該非接触識別タグ３の後述するデータ記憶部３３に記憶されている。
【００３２】
荷物４は、運送会社において取り扱う、客からの依頼に応じて配達する荷物であり、これら一つ一つに非接触識別タグ３が取り付けられている。
更に、図２に基づき、リーダ・ライタ装置２の構成を説明する。図２は、リーダ・ライタ装置２の詳細構成を示すブロック図である。
図２に示すように、リーダ・ライタ装置２は、データ受信部２ａと、データ送信部２ｂと、制御部２ｃと、操作部２ｄと、ＲＡＭ（Ｒａｎｄｏｍ  Ａｃｃｅｓｓ  Ｍｅｍｏｒｙ）２ｅと、ＲＯＭ（Ｒｅａｄ  Ｏｎｌｙ  Ｍｅｍｏｒｙ）２ｆと、表示部２ｇと、を含んだ構成となっている。
【００３３】
データ受信部２ｂは、非接触識別タグ３からの情報を非接触で受信するものである。これにより、荷物４に関連した管理情報や非接触識別タグ３が不正に取り外されたことを示す情報等を取得することが可能である。
データ送信部２ｂは、管理情報等の非接触識別タグ３に記憶された情報を読み取るコマンドや非接触識別タグ３と荷物を対応付けるための管理情報等を、当該非接触識別タグ３に非接触で伝送するものである。ここで、本実施の形態においては、情報送信時の搬送波を非接触識別タグ３への電力供給に利用する。
【００３４】
ここで、本実施の形態におけるリーダ・ライタ装置２と非接触識別タグ３との間のデータ通信は、主に、２５０ｋＨｚ以下、あるいは、１３．５６ＭＨｚ帯の長・中波帯の電磁波を利用して交信を行なう電磁誘導方式を利用し、且つ、交信領域内にある複数の非接触識別タグのうち、特定の非接触識別タグと交信ができるセレクティブアクセスモードを利用している。
【００３５】
制御部２ｃは、図示しないＣＰＵ（Ｃｅｎｔｒａｌ  Ｐｒｏｃｅｓｓｉｎｇ  Ｕｎｉｔ）により、ＲＯＭ２ｆに記憶された制御プログラムを実行することにより、リーダ・ライタ装置２の動作を統括制御するものである。その制御内容としては、まず、非接触識別タグからのデータの受信や、非接触識別タグへのデータの送信などの、データ受信部２ａ及びデータ送信部２ｂを用いた電磁誘導方式によるデータ通信処理の制御がある。更に、操作部２ｄの操作内容に応じて制御プログラム実行時に用いる設定値の変更処理等の制御、表示部２ｇに非接触識別タグ３から取得した情報等の所定情報の表示処理制御などを行う。
【００３６】
操作部２ｄは、電源の投入と切断、プログラムのリセットなどを行うためのスイッチ等の操作機能、非接触識別タグ３に書込む情報内容の設定部等を備えたものである。
ＲＡＭ２ｅは、制御部２ｃのＣＰＵにより、ＲＯＭ２ｆに記憶された制御プログラムを実行する際に必要なデータを一時記憶するためのメモリである。
【００３７】
ＲＯＭ２ｆは、リーダ・ライタ装置２を統括制御するための、制御プログラムの記憶された読み取り専用のメモリである。
表示部２ｇは、液晶等の表示領域を備え、非接触識別タグ３から取得した情報、リーダ・ライタ装置２の現在の設定内容、処理の実行状況などを表示する機能を備えたものである。
【００３８】
更に、図３に基づき、非接触識別タグ３の構成を説明する。図３は、非接触識別タグ３の詳細構成を示すブロック図である。
図３に示すように、非接触識別タグ３は、データ通信部３ａと、制御部３ｂと、データ記憶部３３と、取り外し検出部３５と、電気泳動表示装置３７と、電源生成部３８と、コイルアンテナ３９と、を含んだ構成となっている。
【００３９】
データ通信部３ａは、データ受信部３０と、データ送信部３１と、コイルアンテナ３９と、を含んだ構成となっている。
データ受信部３０は、リーダ・ライタ装置２から伝送されたデータを電磁誘導方式により受信する機能を備えるものである。
データ送信部３１は、データ記憶部３３によって記憶された所定データを、電磁誘導方式によってリーダ・ライタ装置２に送信する機能を備えるものである。
【００４０】
コイルアンテナ３９は、リーダ・ライタ装置２から送信されるデータを含んだ電磁波を電磁誘導方式で受信するためのものである。
制御部３ｂは、データ制御部３２と、電圧監視部３４と、表示処理部３６と、を含んだ構成となっており、図示しないＣＰＵによりこれら各部に対応する制御プログラムを実行することによって、非接触識別タグ３の各部の動作を制御するものである。なお、本実施の形態においては、ＣＰＵ及び制御プログラムにより非接触識別タグ３の動作を制御する構成としているが、これに限らず、これらの動作をロジック回路により制御する構成としても良い。
【００４１】
データ制御部３２は、データ通信部３ａにおけるデータの送受信の制御、受信したデータの記憶処理等の制御を行うものである。
電圧監視部３４は、非接触識別タグ３における、所定回路の電圧を監視するものである。
表示処理部３６は、データ制御部３２からの命令に応じて、電気泳動表示装置３７に所定情報を表示する制御を行うものである。
【００４２】
データ記憶部３３は、データ制御部３２からの命令に応じて、リーダ・ライタ装置２から受信した管理情報などの所定データを自己の備えるメモリに記憶する機能を備えるものである。ここで、本実施の形態においては、上記した制御プログラムも記憶している。
取り外し検出部３５は、一度荷物４に取り付けられた非接触識別タグ３が取り外されたときに、このことを電圧監視部３４において電圧の変化として検出するための機構を備えたものである。
【００４３】
電気泳動表示装置３７は、上記した電気泳動現象を利用した表示装置である。
電源生成部３８は、リーダ・ライタ装置２から受信した電磁波から電源を生成して上記各部に供給するものである。
更に、図４に基づき、電圧監視部３４及び取り外し検出部３５による取り外し検出の構成を説明する。図４は、電圧監視部３４及び取り外し検出部３５による取り外し検出の構成を示す図である。
【００４４】
図４に示すように、取り外し検出部３５は、第１の検出用抵抗部３５ａと、第２の検出用抵抗部３５ｂと、を含んだ構成となっている。更に、第１の検出用抵抗部３５ａの配線の一方は電源に接続され、もう一方は第２の検出用抵抗部３５ｂに接続される。第２の検出用抵抗部３５ｂからの配線は、その一方が回路のグランド部に接続され、もう一方が第１の検出用抵抗部３５ａに接続される。そして、第１の検出用抵抗部３５ａ及び第２の検出用抵抗部３５ｂの接続部から伸びる配線が電圧監視部３４に接続されている。
【００４５】
つまり、電圧監視部３４によって、第１の検出用抵抗部３５ａ及び第２の検出用抵抗部３５ｂによって分圧された接続部の電圧Ｅ３を監視する。
更に、図５及び図６に基づき、非接触識別タグ３の詳細な構成を説明する。図５（ａ）は、非接触識別タグの回路構成を示す図であり、図５（ｂ）は、図５（ａ）におけるＡ−Ａ断面図であり、図６（ａ）は、図５（ａ）の非接触識別タグ３を荷物４に取り付けたときのＡ−Ａ断面図であり、図６（ｂ）は、図６（ａ）の断面図において非接触識別タグ３が荷物４から取り外された状態を示す図である。
【００４６】
図５（ａ）に示すように、非接触識別タグ３の回路構成は、基板３００ｂ上に、当該基板３００ｂの周形状に沿って一筆書きに金属の渦巻線を形成することでコイルアンテナ３９が形成されている。ここで、本実施の形態において、このコイルアンテナ３９は、金属インクを用いたインクジェット法によって形成される。
【００４７】
更に、基板３００ｂの中央には制御部３ｂがＩＣチップとして実装され、更に、電気泳動表示装置３７が実装されている。制御部３ｂからは、配線３００ａによって、図５（ｂ）に示すように、取り外し検出回路部３００が形成されている。この取り外し検出回路部３００には、配線３００ａと導電可能な状態で第１の検出用抵抗部３５ａの配線３００ｄが当該配線３００ａと接するように形成されている。なお、図中３００ｃは、非接触識別タグ３を荷物４に取り付けるための粘着部である。
【００４８】
つまり、図６（ａ）に示すように、非接触識別タグ３は、粘着部３００ｃによって荷物４に取り付けられる。このとき、第１の検出用抵抗部３５ａの粘着部３００ｅは、他の粘着部３００ｃとは切り離し可能な状態で形成されている。そして、図６（ｂ）に示すように、荷物４から非接触識別タグ３を取り外すと、配線３００ｄと配線３００ａとの接部は粘着部３００ｅの粘着力より弱い結合力によって接するように形成されているため、第１の検出用抵抗部３５ａは、配線３００ｄ及び粘着部３００ｅごと、非接触識別タグ３の本体から切り離されて荷物４上に残るようになっている。
【００４９】
このようにして、非接触識別タグ３が荷物４から取り外されることで、図４に示す回路から、第１の検出用抵抗部３５ａが切り離されることになる。従って、第１の検出用抵抗部３５ａ及び第２の検出用抵抗部３５ｂによって分圧されていた電圧が分圧されなくなるため電圧Ｅ３が変化することになる。この電圧の変化が電圧監視部３４によって検出され、荷物４から非接触識別タグ３が取り外されたことが検出されることになる。
【００５０】
更に、非接触データ通信システム１のより具体的な動作を説明する。
ここで、本実施の形態は、本発明に係る非接触データ通信システム１を、運送会社の荷物管理に適用するもので、荷物から非接触識別タグが取り外されたり、不当な非接触識別タグが使用されたりしていないかなどを管理する。
まず、荷物４には、予め非接触識別タグ３を取り付けておく。そして、リーダ・ライタ装置２の操作部２ｄにおいて、運送する荷物４にそれぞれ取り付けられた非接触識別タグ３に書込む情報を設定する。ここで、設定する情報としては、荷物の送り主情報、荷物の種類、荷物の送り先情報、荷物の運送予定日などがある。これらの設定が終わると、データ送信部２ｂを介してそれぞれ対象のＩＤ番号を有した非接触識別タグ３に設定情報を送信する。
【００５１】
一方、非接触識別タグ３は、リーダ・ライタ装置２から応答要求信号を受信すると、その電源生成部３８においてこの信号の搬送波から駆動電力を生成し当該非接触識別タグ３の各部に供給する。そして、これにより電力を供給されたデータ制御部３２の制御により、リーダ・ライタ装置２から送信された情報を、データ受信部３０を介して受信し、データ記憶部３３によって不揮発性のメモリに記憶する。更に、前記記憶した情報に基づき情報表示処理部３６によって、電気泳動表示装置３７に、荷物の種類、荷物の送り先、荷物の運送予定日などを文字画像でそれぞれ表示する。そして、最後に、これら一連の処理が実行された旨を示す応答信号をデータ送信部３１を介してリーダ・ライタ装置２に送信する。ここで、電気泳動表示装置３７の特性から、情報の表示の維持には電力を必要としない。
【００５２】
更に、荷物４から非接触識別タグ３が取り外されると、上記図６（ｂ）に示すように、その本体から第１の検出用抵抗部３５ａが切り離される。そして、非接触識別タグ３は、この状態のときにリーダ・ライタ装置２から応答要求信号を受信すると、上記同様に、まずその電源生成部３８においてこの信号の搬送波から駆動電力を生成し当該非接触識別タグ３の各部に供給する。そして、これにより電力を供給された電圧監視部３４では、電圧Ｅ３の変化が検出され、その旨がデータ制御部３２に通知される。データ制御部３２では、この通知を受けると、非接触識別タグ３が荷物４から取り外されたと判断し、表示処理部３６に命令を送信して取り外されたことを示す情報を電気泳動表示装置３７に表示させる。
【００５３】
ここで、表示内容としては、表示部に大きく×印を表示したり、表示部全面が赤色などの目立つ色になるような画面を表示したりするなど、目視で非接触識別タグ３の状態が簡単に解るものを表示する。
更に、非接触識別タグ３は、荷物４から取り外されたことを示す情報及び自己のＩＤ番号を制御部３ｂの制御によりデータ送信部３１を介してリーダ・ライタ装置２に返信する。リーダ・ライタ装置２は、これらの情報を受信すると、制御部２ｃにおいて、応答のあったＩＤ番号の非接触識別タグ３が荷物４から取り外されたと判断され、表示部２ｇによって、その旨を表示する。リーダ・ライタ装置２のオペレータは、表示された情報を見て、非接触識別タグ３が荷物４から外れて落ちた状態であるか、あるいは、一度取り外された非接触識別タグ３が誤って（あるいは不正に）使用されているかなどを目視で確認する作業を行う。
【００５４】
なお、非接触識別タグ３が対応する荷物４に正確に取り付けられた通常の状態のときには、非接触識別タグ３は、リーダ・ライタ装置２から応答要求信号を受信すると、自己のＩＤ番号のみを送信する。そして、以降は、この非接触識別タグ３とリーダ・ライタ装置２との間で、当該リーダ・ライタ装置２のコマンド送信とこれに応じた非接触識別タグ３の応答といった形でデータ通信が行われる。ここで、コマンドの種類としては、上記した応答要求コマンドの他に、非接触識別タグ３に管理情報等のデータを書込むためのデータ書込みコマンドなどがある。
【００５５】
更に、図７に基づき、リーダ・ライタ装置２の動作処理の流れを説明する。図７は、リーダ・ライタ装置２の動作処理を示すフローチャートである。
図７に示すように、まずステップＳ７００に移行し、制御部２ｃの制御によりデータ送信部２ｂを介して、非接触識別タグ３に対して応答要求コマンドを送信してステップＳ７０２に移行する。
【００５６】
ステップＳ７０２では、非接触識別タグ３から応答を受信したか否かを判定し、所定時間内に受信したと判定された場合（Ｙｅｓ）はステップＳ７０４に移行し、そうでない場合（Ｎｏ）はステップＳ７００に移行する。
ステップＳ７０４に移行した場合は、制御部２ｃにおいて、非接触識別タグ３からの応答内容を解析してステップＳ７０６に移行する。
【００５７】
ステップＳ７０６では、制御部２ｃにおいて、解析内容に基づき、応答のあった非接触識別タグ３が荷物４から取り外されたか、又は正常に荷物４に取り付けられているかを判定し、取り外されたと判定された場合（Ｙｅｓ）はステップＳ７０８に移行し、そうでない場合（Ｎｏ）はステップＳ７１２に移行する。
ステップＳ７０８に移行した場合は、表示部２ｇによって、応答のあった非接触識別タグ３が荷物４から取り外されたことを示す情報を表示してステップＳ７１０に移行する。
【００５８】
ステップＳ７１０では、制御部２ｃによって、対象の非接触識別タグ３との交信を中止してステップＳ７００に移行する。
一方、ステップＳ７１２に移行した場合は、制御部２ｃは、応答のあった非接触識別タグ３と通常の交信処理を行いステップＳ７１４に移行する。
ステップＳ７１４では、制御部２ｃにおいて、非接触識別タグ３との交信が終了したか否かを判定し、終了したと判定された場合（Ｙｅｓ）はステップＳ７００に移行し、そうでない場合（Ｎｏ）はステップＳ７１２に移行する。
【００５９】
更に、図８に基づき、非接触識別タグ３の応答要求コマンドに対する応答処理の流れを説明する。図８は、非接触識別タグ３の応答要求コマンドに対する応答処理を示すフローチャートである。
図８に示すように、まずステップＳ８００に移行し、データ受信部３０を介して応答要求コマンドを受信してステップＳ８０２に移行する。
【００６０】
ステップＳ８０２に移行した場合は、電圧監視部３４において、電圧Ｅ３の変化が検出されたか否かを判定し、検出されたと判定された場合（Ｙｅｓ）はステップＳ８０４に移行し、そうでない場合（Ｎｏ）はステップＳ８１０に移行する。
ステップＳ８０４に移行した場合は、データ制御部３２において、非接触識別タグ３が荷物４から取り外されたと判断し、ステップＳ８０６に移行する。
【００６１】
ステップＳ８０６では、表示処理部３６によって、非接触識別タグ３が荷物４から取り外されたことを示す情報を、電気泳動表示装置３７に表示してステップＳ８０８に移行する。
ステップＳ８０８では、データ制御部３２によって、データ送信部３１を介して、データ記憶部３３から読み出したＩＤ番号及び非接触識別タグ３が荷物４から取り外されたことを示す情報をリーダ・ライタ装置２に送信して処理を終了する。
【００６２】
一方、ステップＳ８０２において、電圧監視部３４によって、電圧Ｅ３の変化が検出されなくステップＳ８１０に移行した場合は、表示処理部３６によって、データ記憶部３３から読み出した管理情報等の通常の情報を電気泳動表示装置３７に表示してステップＳ８１２に移行する。
ステップＳ８１２では、データ制御部３２によって、データ送信部３１を介して、データ記憶部３３から読み出したＩＤ番号をリーダ・ライタ装置２に送信して処理を終了する。
【００６３】
以上、荷物４に取り付けられた非接触識別タグ３が取り外されたことを検出して、そのことを非接触識別タグ３の電気泳動表示装置３７に表示することが可能であるので、何らかの事故等で外れてしまった非接触識別タグ３や、一度取り外されて不正に使用されている非接触識別タグ３を目視で容易に発見することが可能となる。
【００６４】
また、非接触識別タグ３は、荷物４に取り付けられた非接触識別タグ３が取り外されたことを検出したときに、そのことを示す情報をリーダ・ライタ装置２に送信することが可能であり、且つ、リーダ・ライタ装置２は、非接触識別タグ３が取り外されたことを示す情報を表示部２ｇによって表示することが可能であるので、リーダ・ライタ装置２のオペレータは、荷物４から外れた非接触識別タグ３があることを容易に知ることが可能となる。
【００６５】
ここで、図２に示す、制御部２ｃの制御によって、データ受信部２ａ及びデータ送信部２ｂを介して行われる非接触識別タグ３とのデータ通信処理は、第１の発明に記載のデータ通信手段に対応し、制御部２ｃの制御によって、データ送信部２ｂを介して行われる搬送波の送信による電力用電磁波の供給処理は、第１の発明に記載の電力供給用電磁波送信手段に対応し、図３に示す、電圧監視部３４及び取り外し検出部３５による、荷物４から非接触識別タグ３が取り外されたことを検出する処理は、第１〜第４及び第６〜第９の発明に記載の取り外し検出手段に対応し、表示処理部３６及び電気泳動表示装置３７による情報の表示処理は、第１、第３、第５、第６、第８及び第１０の発明に記載の所定情報表示手段に対応し、電源生成部３８は、第１及び第６の発明に記載の駆動用電力生成手段に対応し、図５及び図６に示す、粘着部３００ｃ及び３００ｅは、第１、第６及び第１１の発明に記載の取り付け手段に対応する。
【００６６】
なお、上記実施の形態においては、電圧監視部３４及び取り外し検出部３５によって、上記したように、電圧値の変化によって、非接触識別タグ３が荷物４から取りはずされたことを検出するようにしているが、これに限らず、電流値の変化を検出したり、スイッチ等を利用して非接触識別タグが外された回数を検出したりするなど、別の方法によって非接触識別タグ３が荷物４から取りはずされたことを検出するようにしても良い。
【００６７】
また、上記実施の形態においては、荷物４に取り付けられた非接触識別タグ３を取り外すことで、抵抗素子を含む基板のパターンが非接触識別タグ３の本体から分離することで、電圧が変化するようにしているが、これに限らず、別の方法により電圧値が変化するようにしても良い。
【図面の簡単な説明】
【図１】本発明に係る非接触データ通信システムの構成を示すブロック図である。
【図２】リーダ・ライタ装置２の詳細構成を示すブロック図である。
【図３】非接触識別タグ３の詳細構成を示すブロック図である。
【図４】電圧監視部３４及び取り外し検出部３５による取り外し検出の構成を示す図である。
【図５】（ａ）は、非接触識別タグの回路構成を示す図であり、（ｂ）は、（ａ）におけるＡ−Ａ断面図である。
【図６】（ａ）は、図５（ａ）の非接触識別タグ３を荷物４に取り付けたときのＡ−Ａ断面図であり、（ｂ）は、（ａ）の断面図において非接触識別タグ３が荷物４から取り外された状態を示す図である。
【図７】データ通信装置２の動作処理を示すフローチャートである。
【図８】非接触識別タグ３の応答要求コマンドに対する応答処理を示すフローチャートである。
【符号の説明】
１…非接触データ通信システム、２…リーダ・ライタ装置、２ａ…データ受信部、２ｂ…データ送信部、２ｃ…制御部、２ｄ…操作部、２ｅ…ＲＡＭ、２ｆ…ＲＯＭ、２ｇ…表示部、３…非接触識別タグ、３ａ…データ通信部、３ｂ…制御部、３０…データ受信部、３１…データ送信部、３２…データ制御部、３３…データ記憶部、３４…電圧監視部、３５…取り外し検出部、３５ａ…第１の検出用抵抗部、３５ｂ…第２の検出用抵抗部、３６…表示処理部、３７…電気泳動表示装置、３８…電源生成部、３９…コイルアンテナ、３００…取り外し検出回路部、３００ａ、３００ｄ…配線部、３００ｂ…基板、３００ｃ、３００ｅ…粘着部
【図１】
2004280434.tif 000003
【図２】
2004280434.tif 000004
【図３】
2004280434.tif 000005
【図４】
2004280434.tif 000006
【図５】
2004280434.tif 000007
【図６】
2004280434.tif 000008
【図７】
2004280434.tif 000009
【図８】
2004280434.tif 000010